(57)【特許請求の範囲】
【請求項１】
収納部の上部に天板を備えたキャビネットであって、天板の下方で収納部の前側に位置する補助収納部を備え、補助収納部の少なくともその一部が、天板の前端より前方に位置しているとともに、補助収納部の上面に蓋部材を備えていることを特徴とするキャビネット。
【請求項２】
請求項１記載のキャビネットであって、収納部は引き出し収納部であり、収納部を引き出すことで、補助収納部が同時に引き出されることを特徴とするキャビネット。
【請求項３】
請求項２記載のキャビネットであって、蓋部材は収納部と同時に引き出されずに固定されていることを特徴とするキャビネット。
【請求項４】
請求項１から３のいずれかに記載のキヤビネットであって、蓋部材は使用者が凭れかかることが可能なサポートバーであることを特徴とするキャビネット。
【請求項５】
請求項１から３のいずれかに記載のキャビネットであって、蓋部材の上面に物品載置部が形成されていることを特徴とするキャビネット。
【請求項６】
請求項１又は２に記載のキャビネットであって、蓋部材がヒンジ部材によって開閉可能に取り付けられていることを特徴とするキャビネット。
【発明の詳細な説明】
【技術分野】
【０００１】
本発明は、キッチンのキャビネットに関し、キャビネットの収納部の前側に突出する補助収納部を設け、補助収納部の上面を蓋部材で覆うキャビネットに関する。
【背景技術】
【０００２】
従来、キッチンのシンク部前方であって天板下に補助的な収納部を設ける構成は、知られている。例えば、流し台の前方に収納兼サポート用幕板が配設された構成が知られている（特許文献１参照）。
【０００３】
厨房装置のキャビネットの前面板に中空部を形成して収納部とし、上部を前方に突出したものが知られている（特許文献２参照）。洗面ユニットの収納部の扉に、斜面を有する小物収納部を一体的に設けたものが知られている（特許文献３参照）。さらに、洗面化粧台の幕前板部を開閉自在な蓋体と、蓋体を支持する支持部とで構成したものとが知られている（特許文献４参照）。
【０００４】
【特許文献１】特開２００７−１６２号公報
【特許文献２】特開２００６−２７１７８３号公報
【特許文献３】実公昭６１−６８６０号公報
【特許文献４】実開平１−９９２８７号公報
【発明の開示】
【発明が解決しようとする課題】
【０００５】
上記従来例（特許文献１〜４）は、あくまでも、天板下に収納部を設ける構成であり、それ以上収納スペースをより拡大して利用することは難しい。本発明は、収納部を天板下だけではなく、さらに前方の空間を活用して、収納量を拡大し、使い勝手の良い収納を可能とするキャビネットを実現することを課題とする。
【課題を解決するための手段】
【０００６】
本発明は上記課題を解決するために、収納部の上部に天板を備えたキャビネットであって、天板の下方で収納部の前側に位置する補助収納部を備え、補助収納部の少なくともその一部が、天板の前端より前方に位置しているとともに、補助収納部の上面に蓋部材を備えていることを特徴とするキャビネットを提供する。
【０００７】
前記キャビネットにおいて、収納部は引き出し収納部であり、収納部を引き出すことで、補助収納部が同時に引き出されることが好ましい。
【０００８】
前記キャビネットにおいて、蓋部材は収納部と同時に引き出されずに固定されていることが好ましい。
【０００９】
前記キャビネットにおいて、蓋部材は使用者が凭れかかることが可能なサポートバーであることが好ましい。
【００１０】
前記キャビネットにおいて、蓋部材の上面に物品載置部が形成されていることが好ましい。
【００１１】
前記キャビネットにおいて、蓋部材がヒンジ部材によって開閉可能に取り付けられていることが好ましい。
【発明の効果】
【００１２】
本発明に係るキャビネットによれば、次のような効果が生じる。
（１）天板下だけではなく、さらに天板の前端より前方の空間を補助収納部として活用する構成としたので、収納量が増え、使用者が手前側に少し引いただけで簡単に収納部に物を出し入れすることができ、使い勝手が向上する。
【００１３】
（２）天板からさらに前方に形成した補助収納部の開口を覆う蓋部材を、物品載置棚や凭れバーとして活用することが可能である。
【発明を実施するための最良の形態】
【００１４】
本発明に係るキャビネットを実施するための最良の形態を実施例に基づき図面を参照して、以下説明する。
【実施例１】
【００１５】
図１〜３は、本発明のキャビネットの実施例１の構成を説明する図である。図１（ａ）、（ｂ）は、実施例１のキャビネット１を説明する図である。このキャビネット１は、収納部２と、収納部２の上部に設けられた天板３と、天板３に設けられたシンク部４とを備えている。
【００１６】
収納部２は、この実施例１では、図１（ａ）、（ｂ）に示すように、複数段の引き出し収納部から成る。最上段の引き出し収納部５は、図２（ａ）、（ｂ）に示すように、前板部６、左右両側の側板７、底板８及び背板（図示せず。）とを備えている。天板の下方で最上段の引き出し収納部５の前板部６の上部に、かつ、少なくともその一部が天板３の前端より前方に位置した補助収納部９が設けられている。
【００１７】
補助収納部９は、図２（ａ）、（ｂ）に示すように、前面壁１０、左右両側の側壁１１、及び底壁１２を備え、上面が開口して形成されており、さらに、引き出し収納部５の前板部６に固定するために左右両側の側壁１１と一体に形成された取付板１３とを備えている。
【００１８】
取付板１３は、左右両側の側壁１１、１１を橋絡し、垂直に形成されている。取付板１３は、前板部６の背面にネジ止めされて固定され、これにより、補助収納部９が前板部６に取り付けられる。引き出し収納部５と補助収納部９は、収納スペースが互いに連通し一体となっているが、取付板１３の上部を上方に延ばすことにより、部分的に仕切るような構成としてもよい。
【００１９】
天板３の下方であって、補助収納部９の開口に面し、補助収納部９の蓋部材として、図１、図２（ｂ）に示すように、サポートバー１４が設けられている。サポートバー１４は、補助収納部９の左右方向の横幅と略同じ横幅を有する。そして、このサポートバー１４は、水平部１５と、水平部１５の前端から凸湾曲状に折り返された凭れ部１６とを備えている。
【００２０】
サポートバー１４は、キャビネット１の左右両側の側板１９、１９の前端から前方に張り出すように、かつ、キャビネット１の左右両側の側板１９、１９間に横幅方向（左右方向）に延びている。サポートバー１４の水平部１５における基端部１７（キャビネットの奥方向の端部）が、その両側面においてキャビネット１の左右両側の側板１９、１９に固定されている。従って、サポートバー１４は、引き出し収納部５と同時に引き出されることはない。
【００２１】
このサポートバー１４は、引き出し収納部５が閉じている状態（図１（ｂ）及び図２（ｂ）参照）において、使用者が作業する際に凭れることのできる凭れバーとして機能する。また、サポートバー１４の水平部１５の下面は平坦に形成され、補助収納部９の開口を閉じる、蓋部材としても機能する。
【００２２】
（作用）
補助収納部９は、引き出し収納部５と一体で引き出すことができ、図１（ｂ）及び図２（ｂ）に示すように、引き出し収納部５をキャビネット１に押し込み閉じた状態では、補助収納部９は、サポートバー１４により開口を閉じることができる。そして、使用者はサポートバー１４の凭れ部１６に凭れかかることができる。
【００２３】
図３（ａ）に示すように、使用者が、前板部６の前面に取り付けられた取手１８に手を掛けて引き出し収納部５を前方に引けば、補助収納部９を開くことができる。これにより、補助収納部９へ物品を収納したり取り出しすることが可能である。補助収納部９は、天板３よりさらに前方の空間を収納部として活用できるから、収納量を拡大することができ、使い勝手がきわめて良くなる。
【００２４】
また、図３（ｂ）に示すように、引き出し収納部５をさらに前方に引くと、引き出し収納部５を開くことができる。これにより、引き出し収納部５へ物品を収納したり取り出したりすることが可能となる。
【実施例２】
【００２５】
図４は、本発明のキャビネットの実施例２を示す図である。この実施例２のキャビネット２０は、実施例１とほぼ同じ構成である。しかし、この実施例２のキャビネット２０は、蓋部材として、使用者が凭れかかることのできるサポートバー１４ではなく、物品２２を載置することのできる載置部である棚板２１を設ける構成とした点を特徴とする。以下、実施例２について、実施例１と異なる構成を中心に説明する。
【００２６】
図４（ａ）に示すように、実施例１と同じ構造の補助収納部９の開口に面し、天板３の下方において、キャビネット２０の左右両側の側板２９前端から張り出すように、補助収納部９の蓋部材として機能する棚板２１を設ける。
【００２７】
この棚板２１は、補助収納部９の横幅と略同じ横幅を有する平板から成り、その基端部２３（キャビネット２０の奥方向の端部）が、キャビネット２０の左右両側の側板２９、２９に固定されて取り付けられている。棚板２１は、補助収納部９の蓋部材として、かつ物品載置部として利用することができる。
【００２８】
図４（ｂ）は、棚板の別の実施態様を示しており、図４（ａ）に示す棚板２１と同様に、その基端部２５が、キャビネット２０の左右両側の側壁２９、２９に固定されて取り付けられている。この棚板２４は、物品載置部として物品２６、２７を載置し収納し易くするために、棚板２４の上面に仕切用突縁２８が形成されている。
【００２９】
このように棚板２４は、仕切用突縁２８を設けた物品載置部の構成としたので、各種の物品２６、２７を滑り落ちることなく、また、仕分けして載置することができるので、使い勝手が良い。
【実施例３】
【００３０】
図５は、本発明に係るキャビネットの実施例３を説明する図である。この実施例３のキャビネット３０は、実施例１のキャビネット１及び実施例２のキャビネット２０とほぼ同様の構成であり、天板の下方で最上段の引き出し収納部３１の前板部３２には、少なくともその一部が、天板３の前端より前方に位置した補助収納部３３を設けた構成である。
【００３１】
また、補助収納部３３の開口に面しかつ天板３の下方には、実施例２のキャビネット２０と同様に、補助収納部３３の蓋部材として機能する棚板２１が、キャビネット３０の左右両側の側板３９、３９に固定して取り付けられている。
【００３２】
しかし、この実施例３のキャビネット３０は、補助収納部３３を、前板部３２の上方ではなく前板部３２の前方に設けた構成を特徴とする。以下、実施例３について、実施例１及び実施例２と異なる構成を中心に説明する。
【００３３】
図５（ａ）、（ｂ）において、引き出し収納部３１の前板部３２の前面に補助収納部３３が取り付けられている。補助収納部３３は、左右両側の側壁３４、３４、前面壁３５及び底壁３６とから構成されている。補助収納部３３を引き出し収納部３１の前板部３２に取り付ける手段として、いろいろな固定構造が考えられるが、例えば、図５（ｂ）に示すように、断面Ｌ型の固定具３７を側壁３４の内面と前板部３２の前面に当接してねじ止めする構成としてもよい。
【００３４】
図５（ａ）、（ｂ）に示す実施例１では、補助収納部３３と引き出し収納部３１は、前板部３２で区画されている。しかし、図５（ｃ）〜（ｅ）に別の実施態様を示すように、前板部３８を全体的に凹状に形成して（図５（ｄ）参照）、補助収納部３３と引き出し収納部３１を連通させて一体の収納スペースとしてもよい。
【００３５】
図５（ｆ）にさらに別の実施態様を示すが、蓋部材としての棚板２４の上面には、物品載置部として物品を載置し収納し易くするために、蓋の上面に仕切用突縁２８が形成された構成としてもよい。
【実施例４】
【００３６】
図６は、本発明のキャビネットの実施例４を示す図である。この実施例４のキャビネット４０は、実施例３のキャビネット３０とほぼ同じ構成であり、蓋部材として棚板を兼用する構成である。しかし、実施例４のキャビネット４０は、蓋部材としての棚板をキャビネットに固定する構成ではなく、補助収納部３３に開閉可能に取り付けた構成を特徴とする。以下、実施例４について、実施例１と異なる構成を中心に説明する。
【００３７】
図６（ａ）〜（ｃ）に示すように、キャビネット４０の前板部３２の前面に実施例３と同様に、補助収納部３３が取り付けられている。補助収納部３３の蓋部材である棚板４１が、前板部３２にヒンジ４２によって、補助収納部３３の開口を開閉可能とするように取り付けられている。
【００３８】
図６（ａ）は、引き出し収納部３１及び補助収納部３３をキャビネット４０内に押し込んで閉じており、棚板４１で引き出し収納部３１の開口を閉じている状態を示す。図６（ａ）の状態では、棚板４１の上に物品を載置する物品載置部として使用することができる。
【００３９】
そして、図６（ｂ）に示すように、棚板４１を開いて、補助収納部３３内に物品を収納したり取り出したりすることができる。さらに、図６（ｃ）に示すように、引き出し収納部３１を手前側に引き出すことにより、引き出し収納部３１に物品を収納したり取り出したりすることができる。
【００４０】
図６（ｄ）、（ｅ）は、実施例２のキャビネットとほぼ同様の構成において、蓋部材である棚板４１を、開閉可能に補助収納部９の側壁１１の上面にヒンジ４２で取り付けた構成である。
【実施例５】
【００４１】
図７（ａ）、（ｂ）は、本発明に係るキャビネットの実施例５を示す図である。この実施例５のキャビネット５０は、収納部２が引き出し収納部ではなく、左右に開閉する開閉扉を有するキャビネットにおいて、補助収納部５１、５１を備えたものである。
【００４２】
左右に開閉する開閉扉は、左右の開閉前板部５２、５２から構成される。実施例５のキャビネット５０は、左右の開閉前板部５２を有する収納部において、天板の下方で左右の開閉前板部５２の上部に、その一部が少なくとも天板３の前端より前方に位置する補助収納部５１を設けた構成を特徴とするものである。
【００４３】
図７（ａ）、（ｂ）に示すキャビネット５０は、左右の開閉前板部５２、５２は、それぞれその上部に、補助収納部５１を設けている。補助収納部５１は、実施例１と同様に、補助収納部５１の取付板５３を、開閉前板部５２の上部裏面に固定されている。
【００４４】
補助収納部５１の開口に面し、天板２の下方には、実施例１と同様のサポートバー１４が、キャビネット５０の左右両側の側板１９、１９の間に固定されて取り付けられている。
【００４５】
左右の補助収納部５１のいずれかを開いて物品を収納したり取り出したりする際には、左右の開閉前板部５２のうち対応する開閉前板部５２を開くことにより、補助収納部５１を開くことができる。
【００４６】
図７（ｃ）に示すキャビネット５４では、左右の開閉前板部５５の上部前面に補助収納部５６を、実施例３と同様な取付構造（図５（ｂ）参照）によって、取り付けられている。そして、左右の補助収納部５６のそれぞれにおいて、蓋部材である棚板５７は、開閉前板部５５の上部前面にヒンジ５８により固定されている。
【００４７】
このような構成のキャビネット５４では、開閉前板部５５を開くことなく、棚板５７を開くことにより補助収納部５６に物品を収納したり取り出したりすることができる。
【００４８】
以上、本発明に係るキャビネットを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００４９】
本発明に係るキャビネットは、上記のような構成であるから、キッチンのキャビネットだけでなく、洗面用のキャビネット、作業用のシンク部キャビネット等、収納部を備えたキャビネットに適用可能である。
【図面の簡単な説明】
【００５０】
【図１】本発明に係るキャビネットの実施例１の構成を説明する図であり、（ａ）はキャビネットの斜視図であり、（ｂ）は要部の側面図である。
【図２】本発明に係るキャビネットの実施例１の構成の要部を説明する図であり、（ａ）はキャビネットの要部の斜視図であり、（ｂ）は要部の側面図である。
【図３】（ａ）、（ｂ）は本発明に係るキャビネットの実施例１の作用を説明する要部の側面図である。
【図４】（ａ）、（ｂ）は、それぞれ本発明に係るキャビネットの実施例２の構成を説明する要部の側面図である。
【図５】（ａ）は本発明に係るキャビネットの実施例３の構成を説明する要部の断面図であり、（ｂ）はＡ−Ａ断面図あり、（ｃ）は別の実施態様を説明する断面図であり、（ｄ）はその前板部の正面図であり、（ｅ）は（ｃ）のＢ−Ｂ断面図であり、（ｆ）はさらに別の実施態様を説明する断面図である。
【図６】（ａ）〜（ｃ）は、本発明に係るキャビネットの実施例４の要部及びその作用を説明する側面図であり、（ｄ）、（ｅ）は別の実施態様を説明する図である。
【図７】本発明に係るキャビネットの実施例５を説明する図であり、（ａ）はキャビネットの斜視図であり、（ｂ）は要部の側面図であり、（ｃ）は別の実施態様を示す要部断面図である。
【符号の説明】
【００５１】
１、２０、３０、４０、５０、５４  キャビネット
２  収納部
３  天板
４  シンク部
５、３１  引き出し収納部
６、３２、３８  前板部
７  左右両側の側板
８  底板
９、３３、５１、５６  補助収納部
１０、３５  補助収納部の前面壁
１１、３４  補助収納部の側壁
１２、３６  補助収納部の底壁
１３、５３  補助収納部の取付板
１４  サポートバー
１５  水平部
１６  凭れ部
１７  サポートバーの基端部
１８  取手
１９、２９、３９  キャビネットの左右両側の側板
２１、２４、４１、５７  棚板
２２、２６、２７  物品
２３、２５  棚板の基端部
２８  棚板の上面の仕切用突縁
３７  固定具
４２、５８  ヒンジ
５２、５５  開閉前板部
【図１】
0005256702.tif 000002
【図２】
0005256702.tif 000003
【図３】
0005256702.tif 000004
【図４】
0005256702.tif 000005
【図５】
0005256702.tif 000006
【図６】
0005256702.tif 000007
【図７】
0005256702.tif 000008